(57)【要約】【課題】室内における搬送物の積載スペースを狭めることなく、且つ、取付作業に要する構成部品、時間、労力およびランニングコストを大幅に削減できると共に、荷室内を所望の温度で効率良く温度管理可能とする。【解決手段】電動圧縮機を有するコンプレッサユニットと、コンデンサユニットと、を少なくとも２つずつ有する外部ユニット部と、エバポレータユニットを少なくとも２つ有する内部ユニット部と、装置全体の動作を制御する制御部とを備え、コンプレッサ・コンデンサ・エバポレータの各ユニットによって構築される複数の冷凍サイクルのうち、一部の冷凍サイクルと、他の冷凍サイクルとで異なる種類の冷媒を用い、制御部が、荷室内の第一の設定温度と、第一の設定温度よりも低い第二の設定温度とに対応する冷凍サイクルを選択し、当該選択した冷凍サイクルの運転を制御する。【選択図】図２
2018036015.tif 000002
【特許請求の範囲】
【請求項１】
車両に設けられた荷室内を冷却するための車両用冷凍装置であって、
冷媒を圧縮する電動圧縮機を有するコンプレッサユニットと、
外気と熱交換することで前記コンプレッサユニットにて圧縮された前記冷媒から熱を放出させるコンデンサユニットと、
を前記冷媒の種類に応じて、それぞれ少なくとも２つずつ有する外部ユニット部と、
前記荷室内の空気を前記冷媒と熱交換させて冷却するエバポレータユニットを、前記冷媒の種類に応じて、少なくとも２つ有する内部ユニット部と、
少なくとも前記電動圧縮機を含む装置全体の動作を制御する制御部と、を備え、
前記各コンプレッサユニット、コンデンサユニットおよびエバポレータユニットによって構築される複数の冷凍サイクルのうち、一部の冷凍サイクルと、他の冷凍サイクルとで、異なる種類の冷媒が用いられ、
前記制御部は、前記複数の冷凍サイクルの中から、前記荷室内の第一の設定温度と、前記第一の設定温度よりも低い第二の設定温度とに対応する冷凍サイクルを選択し、当該選択した冷凍サイクルの運転を制御する
ことを特徴とする車両用冷凍装置。
【請求項２】
前記エバポレータユニットは、
前記コンデンサユニットおよび前記コンプレッサユニットと連通し、前記冷媒が流れる流路を有する蒸発器を、前記冷媒の種類に対応して複数備えており、
それぞれ前記流路が平行に重なる方向に、前記異なる種類の冷媒に対応した各前記蒸発器を交互に配置してなる
ことを特徴とする請求項１に記載の車両用冷凍装置。
【請求項３】
前記車両のエンジンにより駆動され、前記コンプレッサユニット、前記エバポレータユニットおよび前記コンデンサユニット専用に設けられた発電機と、
前記発電機により充電されるバッテリと、
前記バッテリを電源として電力を入力し、当該入力した電力を前記制御部による制御に基づき、前記電動圧縮機を駆動するための電力に変換して供給する電力変換装置と、
商用電源から電力を取り込み、交流出力から直流に変換して整流する充電器と、を更に備え、
前記バッテリは、前記発電機または前記充電器により充電される
ことを特徴とする請求項１または２に記載の車両用冷凍装置。
【請求項４】
前記荷室内が複数の室に区画された場合、
複数の前記室に応じた複数の前記内部ユニット部が設けられると共に、
前記外部ユニット部には、前記内部ユニット部の数に応じた複数の前記コンデンサユニットおよび複数の前記コンプレッサユニットが設けられる
ことを特徴とする請求項１〜３のいずれか一項に記載の車両用冷凍装置。
【請求項５】
冷媒を圧縮する電動圧縮機を有するコンプレッサユニットと、
外気と熱交換することで前記コンプレッサユニットにて圧縮された前記冷媒から熱を放出させるコンデンサユニットと、
前記荷室内の空気を前記冷媒と熱交換させて冷却するエバポレータユニットと、を有する冷凍サイクルを、前記冷媒の種類に応じて少なくとも２つ備えると共に、
少なくとも前記電動圧縮機の動作を含む装置全体の動作を制御する制御部を備え、
車両に設けられた荷室内を冷却する車両用冷凍装置の運転制御方法であって、
前記各冷凍サイクルのうち、一部の冷凍サイクルと、他の冷凍サイクルとで、異なる種類の冷媒が用いられ、
前記制御部は、
前記荷室内の設定温度が第一の設定温度である場合、前記各冷凍サイクルの中から、前記第一の設定温度に対応した冷媒を用いる冷凍サイクルを選択し、
前記荷室内の設定温度が第一の設定温度よりも低い第二の設定温度である場合、前記荷室内の設定温度が前記第一の設定温度に到達するまで、前記各冷凍サイクルの中から、前記第一の設定温度に対応した冷媒を用いる冷凍サイクルを選択し、前記第一の設定温度に到達すると、前記選択した冷凍サイクルから前記第二の設定温度に対応した冷媒を用いる冷凍サイクルに切り替えるようにして、これら冷凍サイクルを運転させる
ことを特徴とする車両用冷凍装置の運転制御方法。
【請求項６】
前記制御部は、
前記荷室内の設定温度が前記第二の設定温度である場合、前記第一の設定温度に対応した冷媒を用いる冷凍サイクルと、前記第二の設定温度に対応した冷媒を用いる冷凍サイクルと、を同時に運転させ、前記荷室内の設定温度が前記第二の設定温度に到達すると、前記第一の設定温度に対応した冷媒を用いる冷凍サイクルのみを停止させる
ことを特徴とする車両用冷凍装置の運転制御方法。
【発明の詳細な説明】
【技術分野】
【０００１】
本発明は、車両用冷凍装置およびその運転制御方法に関し、特に、複数の異なる冷媒を利用して、車両の荷台に搭載される冷凍コンテナ等の荷室内の温度を管理するのに有効な一体型の車両用冷凍装置およびその運転制御方法に関する。
【背景技術】
【０００２】
従来からこの種の車両用冷凍装置を備えた貨物自動車等による冷凍車では、車両の荷台等に冷凍コンテナ等の冷凍庫・冷蔵庫として機能する荷室が設けられ、搬送する荷物（以下、搬送物と称す）を、それに適した温度で管理しながら搬送することが可能となっている。
【０００３】
かかる冷凍車は、一般的に車両のエンジンルームに圧縮機（コンプレッサ）が設けられ、凝縮機（コンデンサ）を冷凍コンテナの外壁等に取り付け、蒸発器（エバポレータ）を冷凍コンテナ内（荷室内）に設置するという状態で、車両用冷凍装置（以下、適宜、冷凍装置とも称す）を構成する機器をそれぞれ別体で配置している。そのため、このような冷凍装置においては構造が複雑となり、冷媒配管の取り回しも煩雑となる問題があった。
【０００４】
そのため、例えば、特許文献１，２のように、冷凍装置をユニット化して荷室内に設置するものが着目されている。この場合、冷凍装置を構成するコンデンサ、エバポレータ等の機器が一体的にユニット化されているため、面倒な配線の架設作業が省け、容易に設置できる利点がある。
【先行技術文献】
【特許文献】
【０００５】
【特許文献１】特開２００２−３７０５１８号公報
【特許文献２】特開２０１５−６８６２６号公報
【発明の概要】
【発明が解決しようとする課題】
【０００６】
しかしながら、かかる冷凍車においては、冷凍装置の設置スペース分、荷室内のスペースが狭くなり、積載可能な荷物が減らされる問題があった。また、エンジンルーム内の圧縮機は、エンジンが停止すれば作動を停止するため、冷凍車の利用には大きな制約があった。
【０００７】
例えば、車両のエンジンを利用して冷凍装置を駆動する冷凍車では、エンジンを停止すると冷凍装置も停止することとなるため、搬送物を搬入する際など停車時に荷室内の温度が変化して低温状態を維持できない場合があった。そこで、停車中においてもエンジンを停止することなくアイドリング状態とし、荷室内の低温状態を維持することが行われているが、今度はアイドリング状態における消費燃料の増加や排出ガスにより、燃費や環境面での問題が生じてしまう。特に、近年では、環境問題の観点から排ガス規制が強化傾向にあり、停車時においてもエンジンをアイドリング状態にすることなく、荷室内の温度管理が可能な車両用冷凍装置の開発が望まれている。
【０００８】
本発明は、上述のような課題に鑑みてなされたものであって、荷室内における搬送物の積載スペースを狭めることなく、且つ、取付作業に要する構成部品、時間、労力およびランニングコストを大幅に削減できると共に、荷室内を所望の温度で効率良く温度管理可能な車両用冷凍装置を提供することを目的とする。
【課題を解決するための手段】
【０００９】
上述のような課題を解決するために、本発明に係る車両用冷凍装置は、
車両に設けられた荷室内を冷却するための車両用冷凍装置であって、
冷媒を圧縮する電動圧縮機を有するコンプレッサユニットと、
外気と熱交換することで前記コンプレッサユニットにて圧縮された前記冷媒から熱を放出させるコンデンサユニットと、
を前記冷媒の種類に応じて、それぞれ少なくとも２つずつ有する外部ユニット部と、
前記荷室内の空気を前記冷媒と熱交換させて冷却するエバポレータユニットを、前記冷媒の種類に応じて、少なくとも２つ有する内部ユニット部と、
少なくとも前記電動圧縮機を含む装置全体の動作を制御する制御部と、を備え、
前記各コンプレッサユニット、コンデンサユニットおよびエバポレータユニットによって構築される複数の冷凍サイクルのうち、一部の冷凍サイクルと、他の冷凍サイクルとで、異なる種類の冷媒が用いられ、
前記制御部は、前記複数の冷凍サイクルの中から、前記荷室内の第一の設定温度と、前記第一の設定温度よりも低い第二の設定温度とに対応する冷凍サイクルを選択し、当該選択した冷凍サイクルの運転を制御することを特徴とする。
【００１０】
これによれば、コンプレッサユニットおよびコンデンサユニットが外部ユニット部として、またエバポレータユニットが内部ユニット部としてユニット化されるため、車両用冷凍装置の取り付けに要する構成部品、時間および労力を大幅に削減することができる。また、冷凍サイクルの構成要素（コンプレッサユニット・エバポレータユニット・コンデンサユニット等）毎に機能が完結しており、ユニット化によって冷媒配管等の配設も簡略化できる。このため、装置全体としてコンパクト化を図ることができ、コンプレッサユニットとエバポレータユニットとコンデンサユニットの取付スペースを削減でき、荷室（冷凍コンテナ）内の空間におけるエバポレータユニットの占有面積を削減することができる。しかも、各要素の設計変更、仕様変更等に柔軟に対応でき、設計の自由度を広げることができる上、メンテナンス性にも優れている。
【００１１】
また、外部ユニット部に冷媒の種類に応じて、それぞれ少なくとも２つずつ設けられるコンプレッサユニットおよびコンデンサユニットと、内部ユニット部に冷媒の種類に応じて、少なくとも２つ設けられるエバポレータユニットと、によって構築される複数の冷凍サイクルのうち、一部の冷凍サイクルと、他の冷凍サイクルとで、異なる種類の冷媒が用いられ、荷室内の設定温度に対応して、異なる種類の冷媒を用いた複数の冷凍サイクルの中から適宜、最適な冷凍サイクルを選択できるので、荷室内を所望の温度で効率良く温度管理できる。よって、電動圧縮機の負担を減らすことができるため、消費電力を大幅に削減でき、冷凍サイクルの効率化を図ることができる。これにより、圧縮機作動をエンジン動力に依存していた従来の小型冷凍車から大型冷凍車までの幅広い車種の機械式冷凍車の電動化が可能となる。このような電動圧縮機を用いた電動式冷凍車はエンジン停止中においても冷凍装置を稼働させることが可能となるため停車時における排気ガスゼロ・騒音低減・燃費向上・正確な温度管理など電動化のメリットは大きい。さらに、複数の冷凍サイクルを同時に稼働させることで、急速冷凍に対応することができる。
【００１２】
かくして、本発明に係る車両用冷凍装置では、荷室内における搬送物の積載スペースを狭めることなく、且つ、取付作業に要する構成部品、時間、労力およびランニングコストを大幅に削減できると共に、荷室内を所望の温度で効率良く温度管理できる。
【００１３】
このとき、前記エバポレータユニットは、
前記コンデンサユニットおよび前記コンプレッサユニットと連通し、前記冷媒が流れる流路を有する蒸発器を、前記冷媒の種類に対応して複数備えており、
それぞれ前記流路が平行に重なる方向に、前記異なる種類の冷媒に対応した各前記蒸発器を交互に配置してなることが好ましい。
【００１４】
これによれば、エバポレータユニット内において、冷媒が流れる流路が平行に重なる方向に、異なる種類の冷媒に対応した複数の蒸発器を交互に配置することで、荷室内への吹出し空気を、前段に配置された冷媒（例えば、蒸発温度の高い冷媒）によって冷却し、さらに後段に配置された冷媒（例えば、蒸発温度が低い冷媒）によって冷却するといった２段階で冷却可能となっている。このとき、前段に蒸発温度の高い冷媒を配置することにより、荷室（冷凍コンテナ）内への吹出し空気を冷却すると共に、後段に配置された蒸発温度の低い冷媒を予備的に冷却する（サブクール）効果が得られる。これにより、効果的な急速冷凍を実現できる。
【００１５】
さらに、本発明において、
前記車両のエンジンにより駆動され、前記コンプレッサユニット、前記エバポレータユニットおよび前記コンデンサユニット専用に設けられた発電機と、
前記発電機により充電されるバッテリと、
前記バッテリを電源として電力を入力し、当該入力した電力を前記制御部による制御に基づき、前記電動圧縮機を駆動するための電力に変換して供給する電力変換装置と、
商用電源から電力を取り込み、交流出力から直流に変換して整流する充電器と、を更に備え、
前記バッテリは、前記発電機または前記充電器により充電されることが好ましい。
【００１６】
これによれば、専用の発電機によって充電される専用のバッテリを備えているので、従来のような車両のエンジンを利用して冷凍装置を駆動する必要がない。換言すれば、車両用冷凍装置の作動をエンジンに依存する必要がない。よって、配達等で停車する場合にエンジンを停止しても、車両用冷凍装置は独立して運転の継続が可能なため、荷室内の低温状態を維持できる。すなわち、停車中においても車両のエンジンをアイドリング状態とする必要がないため、消費燃料の増加や排出ガスによる環境汚染を未然に回避できる。しかも、バッテリを充電する手段として商用電源から電力を取り込む充電器を備えることにより、走行中においてはエンジンによって駆動される専用の発電機を用いてバッテリを充電できると共に、停車中においては商用電源を確保できる場合、車両のエンジンを駆動することなく、当該商用電源から電力を取り込む充電器によりバッテリを充電できる。このとき、バッテリを充電すると同時に、冷凍装置を駆動することも可能である。
【００１７】
また、本発明において、
前記荷室内が複数の室に区画された場合、
複数の前記室に応じた複数の前記内部ユニット部が設けられると共に、
前記外部ユニット部には、前記内部ユニット部の数に応じた複数の前記コンデンサユニットおよび複数の前記コンプレッサユニットが設けられることが好ましい。
【００１８】
これによれば、冷凍サイクルの構成要素（コンプレッサユニット・エバポレータユニット・コンデンサユニット等）毎に機能が完結しており、各室毎に設けられる内部ユニット部の数に応じて、コンデンサユニットおよびコンプレッサユニットを外部ユニット部に設けるため、荷室（冷凍コンテナ）内が複数の室に区画された場合であっても、各要素の設計変更、仕様変更等に柔軟に対応でき、設計の自由度を広げることができる上、メンテナンス性にも優れている。
【００１９】
また、本発明に係る車両用冷凍装置の運転制御方法は、
冷媒を圧縮する電動圧縮機を有するコンプレッサユニットと、
外気と熱交換することで前記コンプレッサユニットにて圧縮された前記冷媒から熱を放出させるコンデンサユニットと、
前記荷室内の空気を前記冷媒と熱交換させて冷却するエバポレータユニットと、を有する冷凍サイクルを、前記冷媒の種類に応じて少なくとも２つ備えると共に、
少なくとも前記電動圧縮機の動作を含む装置全体の動作を制御する制御部を備え、
車両に設けられた荷室内を冷却する車両用冷凍装置の運転制御方法であって、
前記各冷凍サイクルのうち、一部の冷凍サイクルと、他の冷凍サイクルとで、異なる種類の冷媒が用いられ、
前記制御部は、
前記荷室内の設定温度が第一の設定温度である場合、前記各冷凍サイクルの中から、前記第一の設定温度に対応した冷媒を用いる冷凍サイクルを選択し、
前記荷室内の設定温度が第一の設定温度よりも低い第二の設定温度である場合、前記荷室内の設定温度が前記第一の設定温度に到達するまで、前記各冷凍サイクルの中から、前記第一の設定温度に対応した冷媒を用いる冷凍サイクルを選択し、前記第一の設定温度に到達すると、前記選択した冷凍サイクルから前記第二の設定温度に対応した冷媒を用いる冷凍サイクルに切り替えるようにして、これら冷凍サイクルを運転させることを特徴とする。
【００２０】
これによれば、外部ユニット部に冷媒の種類に応じて、それぞれ少なくとも２つずつ設けられるコンプレッサユニットおよびコンデンサユニットと、内部ユニット部に冷媒の種類に応じて、少なくとも２つ設けられるエバポレータユニットと、によって構築される複数の冷凍サイクルのうち、一部の冷凍サイクルと、他の冷凍サイクルとで、異なる種類の冷媒が用いられ、荷室内の設定温度に対応して、異なる種類の冷媒を用いた複数の冷凍サイクルの中から適宜、最適な冷凍サイクルを選択できるので、荷室内を所望の温度で効率良く温度管理できる。よって、電動圧縮機の負担を減らすことができるため、消費電力を大幅に削減でき、冷凍サイクルの効率化を図ることができる。これにより、圧縮機作動をエンジン動力に依存していた従来の小型冷凍車から大型冷凍車までの幅広い車種の機械式冷凍車の電動化が可能となる。このような電動圧縮機を用いた電動式冷凍車はエンジン停止中においても冷凍装置を稼働させることが可能となるため停車時における排気ガスゼロ・騒音低減・燃費向上・正確な温度管理など電動化のメリットは大きい。
【００２１】
さらに、本発明において、
前記制御部は、
前記荷室内の設定温度が前記第二の設定温度である場合、前記第一の設定温度に対応した冷媒を用いる冷凍サイクルと、前記第二の設定温度に対応した冷媒を用いる冷凍サイクルと、を同時に運転させ、前記荷室内の設定温度が前記第二の設定温度に到達すると、前記第一の設定温度に対応した冷媒を用いる冷凍サイクルのみを停止させることが好ましい。
【００２２】
これによれば、複数の冷凍サイクルを同時に稼働させることで、急速冷凍に対応することができる。
【発明の効果】
【００２３】
以上、説明したように、本発明によれば、荷室内における搬送物の積載スペースを狭めることなく、且つ、取付作業に要する構成部品、時間、労力およびランニングコストを大幅に削減できると共に、荷室内を所望の温度で効率良く温度管理できる。
【図面の簡単な説明】
【００２４】
【図１】本発明に係る車両用冷凍装置の一実施形態を示し、冷凍車に装着された適用例を示す概略図である。
【図２】図１の車両用冷凍装置の概略構成を示すブロック図である。
【図３】図２の車両用冷凍装置におけるエバポレータを概略的に示す斜視図である。
【図４】本発明に係る車両用冷凍装置の温度制御手順を示すフローチャートである。
【図５】本発明に係る車両用冷凍装置の他の実施形態を示し、冷凍車に装着された適用例を示す概略図である。
【発明を実施するための形態】
【００２５】
以下、図面を参照しながら本発明の一実施形態について説明する。
図１および図２には、本発明による車両用冷凍装置の一実施の形態が示されている。本実施形態の車両用冷凍装置１は、例えば、貨物自動車等の車両を用いた冷凍車Ｃの荷台に搭載される荷室としての冷凍コンテナＫにおける室内を、任意の温度で冷却（すなわち、冷凍や冷蔵）する冷凍装置に適用され、設置スペースの省スペース化を図ると共に、取付作業に要する構成部品、時間および労力を大幅に削減するのに有効なものである。なお、以下の説明において、車両の進行方向前方とは図１の紙面における左の方向を示し、上方とは図１の紙面における上の方向を示すものとする。
【００２６】
＜システムの構成について＞
図１および図２に示すように、本実施形態の車両用冷凍装置１は、冷凍車Ｃの冷凍コンテナＫに取り付けられるものである。このとき、冷凍コンテナＫには、後述するコンデンサユニット２０とコンプレッサユニット２１とが一体化された外部ユニット部としての冷凍機本体７が本体フレーム９を介して外壁部に取り付けられ、内部ユニット部としてのエバポレータユニット１０が内壁部に取り付けられている。
【００２７】
冷凍機本体７は、冷媒を圧縮する電動圧縮機（後述する第１および第２コンプレッサ２１Ａ，２１Ｂ）を有するコンプレッサユニット２１と、コンプレッサユニット２１にて圧縮された冷媒を外気と熱交換させて熱を放出させるコンデンサ２２およびコンデンサファン２３を有するコンデンサユニット２０と、からなり、これらコンデンサユニット２０とコンプレッサユニット２１とがそれぞれ冷媒の種類に対応して少なくとも２つずつ設けられている。この場合、冷媒としては、蒸発温度が大幅に異なる２種以上を組み合わせており、例えば、一つは蒸発温度が低い（例えば、マイナス４６．３℃）冷媒であるＲ４０４Ａ、もう一つは蒸発温度が高い（例えば、マイナス２６．２℃）冷媒であるＲ１３４ａを選択している。
【００２８】
具体的に、本実施形態の場合、図２に示すように、冷凍機本体７には、Ｒ４０４Ａ用の第１コンプレッサ２１Ａおよび第１コンデンサ２２Ａと、Ｒ１３４ａ用の第２コンプレッサ２１Ｂおよび第２コンデンサ２２Ｂとが一体的に設けられている。なお、本発明はこれに限らず、例えば、冷媒の種類が３つ用いられる場合、これらコンデンサユニット２０とコンプレッサユニット２１とがそれぞれ３つずつ、冷凍機本体７に設けられることとなる。
【００２９】
エバポレータユニット１０は、冷媒を用いて冷凍コンテナＫ内の空気を冷却するものであり、本実施形態の場合、冷媒として蒸発温度が大幅に異なる２種を用いているため、これら２種類の冷媒に対応して複数（ここでは、２つ）のエバポレータ１２Ａ，１２Ｂを備えている。すなわち、冷媒の種類が例えば３つ用いられる場合、エバポレータユニットには、これら冷媒の種類に対応して３つのエバポレータが設けられることとなる。
【００３０】
このように、車両用冷凍装置１では、使用する冷媒の種類の数に応じて、冷凍コンテナＫ内を冷却するための冷凍サイクルを構築するコンプレッサユニット２１（第１および第２コンプレッサ２１Ａ，２１Ｂ）、コンデンサユニット２０（第１および第２コンデンサ２２Ａ，２２Ｂ）、エバポレータユニット１０（エバポレータ１２Ａ，１２Ｂ）が、各種冷媒に対応した系統（この場合、２系統）設けられる。つまり、これら２系統は、システム的に完全に独立しているため、冷凍コンテナＫ内を管理する温度設定に応じて、それぞれの冷凍サイクルに種類の異なる冷媒を選択することが可能となっている。上述したように、例えば、冷凍コンテナＫ内をマイナス２５℃程度の低温設定とする場合、冷媒としては、より蒸発温度の低く冷凍能力の大きいＲ４０４Ａを選定する。また、冷凍コンテナＫ内をマイナス１０度程度の中温設定とする場合、冷媒としては、蒸発温度が比較的高いＲ１３４ａを選定する。このように、管理する温度設定に応じて、それぞれ異なる種類の冷媒を選択することにより、コンプレッサ（第１および第２コンプレッサ２１Ａ，２１Ｂ）にとって負荷の大きい、例えばＲ４０４Ａを必要な荷室のみに限定でき、車両用冷凍装置１全体の負荷の軽減に寄与することが可能となる。
【００３１】
また、車両用冷凍装置１は、冷凍車Ｃの図示省略するエンジンにより駆動される冷凍装置用発電機４（オルタネータ）と、商用電源から電力を取り込み、交流出力から直流に変換して整流する充電器８と、冷凍装置用発電機４または充電器８により充電される冷凍装置用バッテリ３（サブバッテリ）と、コンプレッサユニット２１に設けられた第１および第２コンプレッサ２１Ａ，２１Ｂの動作を制御する不図示の駆動部と、当該駆動部による制御に基づき、冷凍装置用バッテリ３を電源として入力される電力（例えば、１２Ｖや２４Ｖ）を、第１および第２コンプレッサ２１Ａ，２１Ｂを駆動するための電力（例えば、３００Ｖ）に変換（昇圧）して供給する電力変換装置としてのＤＣ／ＤＣコンバータ２と、を備えている。
【００３２】
なお、冷凍車Ｃには、エンジンにより駆動され、車両の各種補機（オーディオ・エアコン等）にて使用される電力を発電したり、車両用バッテリ５（メインバッテリ）を充電したりする車両用発電機６（オルタネータ）が別途備えられている。
しかしながら、本実施形態の車両用冷凍装置１の場合、冷凍装置用バッテリ３および冷凍装置用発電機４が設けられていると共に、当該冷凍装置用バッテリ３によって駆動される第１および第２コンプレッサ２１Ａ，２１Ｂも従来のようなエンジンによって駆動される機械式コンプレッサではないため、エンジンルームに配置されるのではなく、コンプレッサユニット２１としてコンデンサユニット２０と一緒に本体フレーム９に配置されている。よって、車両用冷凍装置１の作動に際し、エンジンの駆動・停止に依存することはない。また、コンプレッサユニット２１・コンデンサユニット２０・エバポレータユニット１０がそれぞれユニット化され、各ユニット毎に機能が完結しているため、冷凍サイクルに係る配管の取り回しも簡略化できる利点を備えている。
【００３３】
＜エバポレータユニットの構成＞
エバポレータユニット１０は、冷凍コンテナＫの内部空間を冷却する部分であり、エバポレータ１２Ａ，１２Ｂ（蒸発器）、エバポレータファン（不図示）、温度センサ１３Ａ１，１３Ａ２，１３Ｂ１，１３Ｂ２および第１，第２電子膨張弁１４Ａ，１４Ｂ等を有して構成され、冷凍コンテナＫ内に配設される。
【００３４】
この場合、冷媒の種類に応じて２つのエバポレータ１２Ａ，１２Ｂが設けられており、それぞれコンデンサユニット２０から高温・高圧配管１５と第１，第２電子膨張弁１４Ａ，１４Ｂとを介して送られてくる冷媒を、冷凍コンテナＫ内の空気と熱交換させることで、冷媒を蒸発させると共に空気を冷却する。このとき、第１，第２電子膨張弁１４Ａ，１４Ｂは、コンデンサユニット２０にて冷却された液状の冷媒を、膨張弁開度を調節して減圧し、低温・低圧の霧状にすることで、液状の冷媒を気化（蒸発）し易い状態にする（冷媒の気化を促進する）。
【００３５】
具体的に、２つのエバポレータ１２Ａ，１２Ｂは、図３に示すように、それぞれコンデンサユニット２０およびコンプレッサユニット２１と連通し、互いに異なる種類の冷媒が流れる流路（配管１５，１６）を有して複数層（この場合、３層）ずつ設けられている。そして、これら３層ずつのエバポレータ１２Ａ，１２Ｂは、互いの配管１５，１６が平行に重なる方向に、１層ずつ交互に配置されて一体化されている。
【００３６】
そして、冷凍コンテナＫ内への吹出し空気（冷凍コンテナＫ内を冷却するための空気）が、まず前段（すなわち、冷凍車Ｃの進行方向前方側）に配置された蒸発温度の高い冷媒Ｒ１３４ａを用いるエバポレータ１２Ｂによって一度冷却され、次に後段（すなわち、冷凍車Ｃの進行方向後方の冷凍コンテナＫ内側）に配置された蒸発温度が低い冷媒Ｒ４０４Ａを用いるエバポレータ１２Ａによって更に冷却される２段冷却構造となっている。とりわけ、本実施形態の場合、この２段冷却構造の組み合わせが３つ組み合わさっており、合計６段階で冷却可能となっている。
【００３７】
このように、前段に蒸発温度の高い冷媒Ｒ１３４ａを用いるエバポレータ１２Ｂを配置することにより、冷凍コンテナＫ内への吹出し空気を冷却すると共に、後段に配置された蒸発温度が低い冷媒Ｒ４０４Ａを用いるエバポレータ１２Ａを予備的に冷却する（サブクール）効果が得られる。
【００３８】
この後、冷媒は低圧・戻り配管１６を介してコンプレッサユニット２１の対応する第１および第２コンプレッサ２１Ａ，２１Ｂへ戻される。不図示のエバポレータファンは、例えばターボファンからなり、不図示のエバポレータファンモータによって回転され、各エバポレータ１２Ａ，１２Ｂで冷却された空気を冷凍コンテナＫ内に送出する。このとき、温度センサ１３Ａ１，１３Ａ２，１３Ｂ１，１３Ｂ２は、エバポレータ１２Ａ，１２Ｂのそれぞれ入口，出口の温度を検知することによって第１，第２電子膨張弁１４Ａ，１４Ｂの開度を調整し、不図示の庫内温度センサが冷凍コンテナＫ内の温度を検出し、この庫内温度の検出結果に応じた信号を当該冷凍コンテナＫ内の温度管理を制御するべく、不図示の制御部および駆動部へ送出する。
【００３９】
なお、このとき、エバポレータユニット１０には、冷媒配管としての高温・高圧配管１５や低圧・戻り配管１６と並列にホットガス配管１７が設置されており、冷凍機本体７側の電磁弁２４Ａ１，２４Ｂ１と、エバポレータユニット１０側の電磁弁２４Ａ２，２４Ｂ２（すなわち、冷凍サイクル毎に２つずつ設けられた第１および第２電磁弁２４Ａ１，２４Ａ２および２４Ｂ１，２４Ｂ２）により冷媒配管の流れを切り替えることが可能となっている。このホットガス配管１７は霜取り用に設けられており、後述する外部ユニット部におけるコンデンサユニット２０において、外気と熱交換することなく、高温高圧のまま流れてきた冷媒をエバポレータユニット１０内へと選択的に流すことにより、冷凍コンテナＫ内の内部ユニット部を温めて霜取りができるようになっている。
【００４０】
すなわち、高温・高圧配管１５に設けられた２つの電磁弁２４Ａ１，２４Ａ２を開状態とし、コンデンサユニット２２Ａから高温高圧のまま流れてきた冷媒を直接エバポレータ１２Ａへと流す。コンデンサユニット２２Ａは、冷媒配管１７と並列配管となるが、第１電磁弁２４Ａ１が開となるとコンデンサユニット２２Ａ内の配管抵抗が大きいため、冷媒は配管抵抗の少ない冷媒配管１７を流れる。また、コンデンサユニット２２Ａへの冷媒逆流を防ぐため、チェックバルブ２５Ａが設けられている。さらに、エバポレータユニット１０に流れ込んだ冷媒は、第２電磁弁２４Ａ２が開となっているため、電子膨張弁１４Ａを通らず、直接エバポレータ１２Ａに流れる。他方の冷凍サイクルにおける２つの電磁弁２４Ｂ１，２４Ｂ２についても同様の動作であるため、ここでの説明は割愛する。
これら第１および第２電磁弁２４Ａ１，２４Ｂ１および２４Ａ２，２４Ｂ２の動作により、冷凍コンテナＫ内の内部ユニット部をホットガスにより加温し、霜取りができるようになっている。このとき、第１および第２電子膨張弁１４Ａ，１４Ｂの開度は、温度センサ１３Ａ１，１３Ａ２，１３Ｂ１，１３Ｂ２によって制御される。
【００４１】
＜コンデンサユニットの構成＞
次に、コンデンサユニット２０について説明する。コンデンサユニット２０は、本体フレーム９に配置され、冷凍コンテナＫの外部（室外）で冷媒の熱交換を行う部分であり、異なる冷媒の種類（この場合、２つ）に対応して、第１および第２コンデンサ２２Ａ，２２Ｂ（凝縮器）、ファンユニット（コンデンサファン２３，不図示のコンデンサファンモータ）等の構成部品を有して構成されている。
【００４２】
第１および第２コンデンサ２２Ａ，２２Ｂは、高温高圧の冷媒と外気とを熱交換させて冷媒を液体状にする。コンデンサファン２３は、コンデンサファンモータ（不図示）によって回転され、コンデンサユニット２０の内部空間から空気を吸い込んで外部に向かって放出する。なお、コンデンサファン２３は、第１および第２コンデンサ２２Ａ，２２Ｂに対して個々に１つずつ設けられていても良いし、コンデンサユニット２０全体として大型のものが１つ設けられていても良い。
【００４３】
かかるコンデンサユニット２０は、コンデンサ２２（第１および第２コンデンサ２２Ａ，２２Ｂ）の上面が車両前方から後方へ向けて下り傾斜しており、この上面に重ねてコンデンサファン２３やコンデンサファンモータからなるファンユニット（不図示）が取り付けられている。そして、冷凍コンテナＫにおける進行方向前方の壁部上方に位置する荷室隔壁部４０に、本体フレーム９が当接した状態で取り付けられる。このように、異なる種類の冷媒に対応した冷凍サイクルを構築するための第１および第２コンデンサ２２Ａ，２２Ｂ等を有するコンデンサユニット２０（すなわち、車両用冷凍装置１において異なる種類の冷媒に対応した複数の冷凍サイクルを構築するコンデンサユニット２０）は、本体フレーム９にまとめて配設されている。
【００４４】
＜コンプレッサユニットの構成＞
次に、コンプレッサユニット２１の構成について説明する。かかるコンプレッサユニット２１は、異なる種類の冷媒に対応した第１および第２コンプレッサ２１Ａ，２１Ｂ（電動圧縮機）、アキュムレータ（不図示）等の構成部品によって構成されている。アキュムレータは、冷媒の液溜まりとして機能し、気体状の冷媒を第１および第２コンプレッサ２１Ａ，２１Ｂに戻すための要素である。第１および第２コンプレッサ２１Ａ，２１Ｂは、車両用冷凍装置１専用のバッテリ３によって駆動するもので、気体状の冷媒を圧縮して高温高圧の気体にする。
【００４５】
かかるコンプレッサユニット２１は、コンデンサユニット２０と共に、本体フレーム９に対して当該コンデンサユニット２０と近接した状態で配設され、冷凍車Ｃにおけるキャブ（車室）のルーフ上方に位置するように、本体フレーム９を介して取り付けられている。このように、異なる種類の冷媒に対応した冷凍サイクルを構築するための第１および第２コンプレッサ２１Ａ，２１Ｂ等を有するコンプレッサユニット２１（すなわち、車両用冷凍装置１の冷凍サイクルを構築するコンプレッサユニット２１）は、本体フレーム９の荷室外部側にまとめて配設されている。
【００４６】
＜その他の構成＞
なお、ここでは図示省略するが、コンプレッサユニット２１およびコンデンサユニット２０は、平面が台形をなす直方体状に構成され、上面が車両後方から前方へ向けて下り傾斜した形状に構成されたケーシングによって覆われている。このケーシングには、進行方向前方に位置する前面側に外気を取り込むための吸気口が設けられている。また、このケーシングの上面には送風口が形成されており、熱を上方に向けて放出するための放熱部として機能するようになっている。
【００４７】
この送風口からは、コンデンサファン２３およびコンデンサファンモータを備えたファンユニット（不図示）が臨んでいる。そして、コンプレッサユニット２１およびコンデンサユニット２０における前述の各種構成部品は、このケーシング内に配置され、冷凍車Ｃにおけるキャブ（車室）のルーフ上方に吸気口が前方を、排気口が上方を向くように本体フレーム９を介して取り付けられている。このため、外気は、吸気口からコンデンサユニット２０の内部に取り込まれた後、下面からコンデンサ２２（第１および第２コンデンサ２２Ａ，２２Ｂ）の内部を通って送風口に導かれる。そして、送風口を通って冷凍車Ｃの進行方向後方（冷凍コンテナＫの上方）に向けて排出される。このようにして、コンデンサファン２３では、空気流を生じさせてコンデンサ２２（第１および第２コンデンサ２２Ａ，２２Ｂ）との間で効率よく熱交換を行わせることができるようになっている。
【００４８】
このとき、ケーシングは、例えばＦＲＰ（Fiberglass Reinforced Plastic：繊維強化プラスチック）樹脂からなり、型抜きが容易な形状が好ましい。さらに、ケーシングは、進行方向前部または後部にヒンジ等の機構を用いて開閉可能な構造とすることが好ましい。これにより、エンジンフードのように開閉が容易な構造とすることができるので、メンテナンス性に優れた構造を実現できる。しかも、このようなケーシングは、前面に吸気口が設けられ、上面に放熱部として機能する送風口が設けられることで、車両前方からの風（外気）を取り込み易く、コンデンサ２２（第１および第２コンデンサ２２Ａ，２２Ｂ）の吹き出しをスムーズにさせることが可能となるため、放熱性に優れ、コンデンサ２２（第１および第２コンデンサ２２Ａ，２２Ｂ）における熱交換効率の向上を図ることができる。
【００４９】
冷凍装置用バッテリ３は、この車両用冷凍装置１の動作用電源として機能する。本実施形態の冷凍装置用バッテリ３は、冷凍車Ｃに搭載されたエンジンの始動時に電力を供給する車両用バッテリ５とは別体であり、例えばＤＣ１２Ｖの電源電圧に定められた鉛バッテリ等からなる。そして、前述のエバポレータファンモータやコンデンサファンモータ（共に不図示）は、冷凍装置用バッテリ３の定格電圧に応じたＤＣ１２Ｖで動作する。
【００５０】
ＤＣ／ＤＣコンバータ２は、冷凍装置用バッテリ３からのＤＣ１２Ｖ電源を第１および第２コンプレッサ２１Ａ，２１Ｂの動作に適した電圧まで昇圧する。本実施形態では、ＤＣ１２ＶをＤＣ３００Ｖまで昇圧する。
【００５１】
なお、ここでは図示省略するが、かかる車両用冷凍装置１は、冷凍車Ｃの車室（キャブ）内における運転席近傍のダッシュパネル付近等にスイッチ群、表示部および制御部を備えている。スイッチ群は、例えば、運転開始や運転停止を指示するＯＮ／ＯＦＦスイッチといった各種のスイッチによって構成されている。また、表示部は、例えば、車両用冷凍装置１の設定温度や電圧などを表示する。
【００５２】
制御部は、車両用冷凍装置１における各種操作の制御を行う。例えば、表示部を制御して各種の情報を表示させたり、不図示の庫内温度センサからの検出信号に基づき、検出温度を認識したり、ファンモータを制御したりする。
【００５３】
駆動部は、制御部と通信可能に構成されており、必要な情報を制御部との間で送受信している。また、駆動部は、本体フレーム９に配置され、車両用冷凍装置１における各種の制御を行う。例えば、駆動部は、制御部から伝送される制御信号に基づいて第１および第２コンプレッサ２１Ａ，２１Ｂを駆動制御したり、エバポレータファンモータやコンデンサファンモータの動作を制御したりする。
【００５４】
第１および第２エバポレータ１２Ａ，１２Ｂを通過した冷媒は第１および第２コンプレッサ２１Ａ，２１Ｂに送られて圧縮される。これにより、冷媒は再び高温高圧の気体になる。この高温高圧の冷媒をコンデンサ２２（第１および第２コンデンサ２２Ａ，２２Ｂ）に導いて外気と熱交換させる。この熱交換によって、冷媒に吸収された熱が外気に放出される。コンデンサ２２（第１および第２コンデンサ２２Ａ，２２Ｂ）から送出された液化された冷媒は、第１および第２電子膨張弁１４Ａ，１４Ｂで減圧され、気化が促進される。そして、第１および第２電子膨張弁１４Ａ，１４Ｂからの冷媒は、第１および第２エバポレータ１２Ａ，１２Ｂに送られ、空気の冷却に再度用いられる。
【００５５】
＜車両用冷凍装置の運転制御方法＞
ここで、車両用冷凍装置１における運転制御方法について説明する。かかる運転制御方法は、制御部によって車両用冷凍装置１の消費電力を低く抑える運転モードとして運転され、図４に示すように、冷凍装置１が初期状態（例えば、冷凍コンテナＫ内の温度がプラス３５℃〜第一の設定温度である０℃まで）においては（ＳＰ１：ＹＥＳ）、蒸発温度の高い冷媒Ｒ１３４ａを用いるエバポレータ１２Ｂを使用した中温用冷凍サイクルを運転させる（ＳＰ２）。このとき、冷凍コンテナＫ内の温度が第一の設定温度以下となっている場合（ＳＰ１：ＮＯ）、後述するＳＰ４へ移行する。
【００５６】
次に、初期状態を経過した（すなわち、冷凍コンテナＫ内の温度が第一の設定温度に到達した）後は（ＳＰ３：ＹＥＳ）、初期状態において運転した蒸発温度が高い冷媒Ｒ１３４ａを用いるエバポレータ１２Ｂを使用した冷凍サイクルを停止させ、冷凍コンテナＫ内の設定目標温度である第二の設定温度（例えば、マイナス２０℃）に到達するまで、蒸発温度の低い冷媒Ｒ４０４Ａを用いるエバポレータ１２Ａを使用した低温用冷凍サイクルを運転させる（ＳＰ４）。このとき、冷凍コンテナＫ内の温度が第一の設定温度に到達していなければ（ＳＰ３：ＮＯ）、ＳＰ２へ移行し、中温用冷凍サイクルの運転を継続させる。
【００５７】
この後、冷凍コンテナＫ内の温度が第二の設定温度に到達すると（ＳＰ５：ＹＥＳ）、低温用冷凍サイクルを停止させるか、または出力を低減して運転させ（ＳＰ６）、冷凍装置１の作動が不要となった場合（ＳＰ７：ＹＥＳ）、当該冷凍装置１の作動を停止する。このとき、冷凍コンテナＫ内の温度が第二の設定温度に到達していなければ（ＳＰ５：ＮＯ）、ＳＰ４へ移行し、低温用冷凍サイクルの運転を継続させる。
【００５８】
このように、冷凍コンテナＫ内の設定温度を使用する冷媒の種類に応じて複数段階に設定（例えば、冷媒の種類が２つであれば、設定温度は２段階で設定）し、それに応じた冷凍サイクル（例えば、中温用冷凍サイクル・低温用冷凍サイクル）を適宜選択して運転することで、冷凍コンテナＫ内を第二の設定温度まで冷却する過程において、途中の第一の設定温度までは中温用冷凍サイクルで冷却され、冷凍コンテナＫ内の温度が一定温度以下となるため、低温用冷凍サイクルで運転してもシステム全体で大きな負荷となることはない。そのため、車両用冷凍装置１のように電動圧縮機を用いた場合、大幅に消費電力を削減することができる。また、これら中温用冷凍サイクルおよび低温用冷凍サイクルを同時に使用した場合、効果的な急速冷凍を実現できる。
【００５９】
＜まとめ＞
以上、説明したように、本実施形態の車両用冷凍装置１は、冷凍車Ｃの荷台に設けられた冷凍コンテナＫ内を冷却するためのものであって、冷媒を圧縮するコンプレッサユニット２１と、外気と熱交換することでコンプレッサユニット２１にて圧縮されて高温高圧となった冷媒から熱を放出させるコンデンサユニット２０とが、それぞれ冷媒の種類に応じて少なくとも２つずつ（第１および第２コンプレッサ２１Ａ，２１Ｂ、第１および第２コンデンサ２２Ａ，２２Ｂ）設けられてなる外部ユニット部と、冷凍コンテナＫ内の空気を前記冷媒と熱交換させて冷却するエバポレータユニット１０が、冷媒の種類に応じて、少なくとも２つ（第１および第２エバポレータ１２Ａ，１２Ｂ）設けられてなる内部ユニット部とによって構成されている。そして、各コンプレッサユニット２１（第１および第２コンプレッサ２１Ａ，２１Ｂ）、コンデンサユニット２０（第１および第２コンデンサ２２Ａ，２２Ｂ）およびエバポレータユニット１０（第１および第２エバポレータ１２Ａ，１２Ｂ）によって構築される複数の冷凍サイクルのうち、一部の冷凍サイクルと、他の冷凍サイクルとで、異なる種類の冷媒が用いられており、少なくとも電動圧縮機である第１および第２コンプレッサ２１Ａ，２１Ｂを含む装置全体の動作を制御する制御部は、複数の冷凍サイクルの中から、冷凍コンテナＫ内の第一の設定温度と、この第一の設定温度よりも低い第二の設定温度とに対応する冷凍サイクルを選択し、当該選択した冷凍サイクルの運転を制御するようになっている。
【００６０】
このとき、冷凍システムの核となるコンプレッサ（第１および第２コンプレッサ２１Ａ，２１Ｂ）を電動化することにより、エバポレータユニット１０以外の構成部品を冷凍機本体７として一体化することができ、複数の冷凍システムを一体化して搭載できる。これは、搭載上、架装工事する上で極めて効果的である。
【００６１】
そして、コンプレッサユニット２１およびコンデンサユニット２０が外部ユニット部として、またエバポレータユニット１０が内部ユニット部としてユニット化されるため、車両用冷凍装置１の取り付けに要する構成部品、時間および労力を大幅に削減することができる。
【００６２】
また、冷凍サイクルの構成要素（コンプレッサユニット２１・コンデンサユニット２０・エバポレータユニット１０）毎に機能が完結しており、ユニット化によって冷媒配管（各種配管１５〜１７）が短縮化され、それらの配設も簡略化できる。このため、装置全体としてコンパクト化を図ることができ、コンプレッサユニット２１とエバポレータユニット１０とコンデンサユニット２０の取付スペースを削減でき、冷凍コンテナＫ内の空間におけるエバポレータユニット１０の占有面積を削減することができる。しかも、各要素の設計変更、仕様変更等に柔軟に対応でき、設計の自由度を広げることができる上、メンテナンス性にも優れている。
【００６３】
また、外部ユニット部に冷媒の種類に応じて、それぞれ少なくとも２つずつ設けられるコンプレッサユニット２１（第１および第２コンプレッサ２１Ａ，２１Ｂ）、コンデンサユニット２０（第１および第２コンデンサ２２Ａ，２２Ｂ）と、内部ユニット部に冷媒の種類に応じて、少なくとも２つ設けられるエバポレータユニット１０（第１および第２エバポレータ１２Ａ，１２Ｂ）と、によって構築される複数の冷凍サイクルのうち、一部の冷凍サイクルと、他の冷凍サイクルとで、異なる種類の冷媒（Ｒ４０４Ａ・Ｒ１３４ａ）が用いられ、荷室内の設定温度に対応して、異なる種類の冷媒を用いた複数の冷凍サイクル（中温用冷凍サイクル・低温用冷凍サイクル）の中から適宜、最適な冷凍サイクルを選択できるので、冷凍コンテナＫ内を所望の温度で効率良く温度管理できる。よって、コンプレッサユニット２１における第１および第２コンプレッサ２１Ａ，２１Ｂの負担を減らすことができるため、消費電力を大幅に削減でき、冷凍サイクルの効率化を図ることができる。これにより、圧縮機作動をエンジン動力に依存していた従来の小型冷凍車から大型冷凍車までの幅広い車種の機械式冷凍車の電動化が可能となる。このような電動圧縮機を用いた電動式冷凍車はエンジン停止中においても冷凍装置１を稼働させることが可能となるため停車時における排気ガスゼロ・騒音低減・燃費向上・正確な温度管理など電動化のメリットは大きい。さらに、複数の冷凍サイクルを同時に稼働させることで、急速冷凍に対応することができる。
【００６４】
かくして、本発明に係る車両用冷凍装置１では、冷凍コンテナＫ内における搬送物の積載スペースを狭めることなく、且つ、取付作業に要する構成部品、時間、労力およびランニングコストを大幅に削減できると共に、冷凍コンテナＫ内を所望の温度で効率良く温度管理できる。
【００６５】
しかも、車両用冷凍装置１は、専用の冷凍装置用発電機４または商用電源から電力を取り込む充電器８によって充電される冷凍装置用バッテリ３を電源として備えているので、従来のような車両のエンジンを利用してコンプレッサ（第１および第２コンプレッサ２１Ａ，２１Ｂ）を駆動する必要がない。換言すれば、車両用冷凍装置１の作動をエンジンに依存する必要がない。よって、配達等で停車する場合にエンジンを停止しても、車両用冷凍装置１は独立して運転の継続が可能なため、冷凍コンテナＫ内の低温状態を維持できる。すなわち、停車中においても冷凍車Ｃのエンジンをアイドリング状態とする必要がないため、消費燃料の増加や排出ガスによる環境汚染を未然に回避できる。
【００６６】
さらに、冷凍装置用バッテリ３を充電する手段として商用電源から電力を取り込む充電器８を備えることにより、走行中においてはエンジンによって駆動される専用の冷凍装置用発電機４を用いて冷凍装置用バッテリ３を充電できると共に、停車中においては商用電源を確保できる場合、車両のエンジンを駆動することなく、当該商用電源から電力を取り込む充電器８により冷凍装置用バッテリ３を充電できる。
【００６７】
しかも、冷凍機本体７（コンプレッサユニット２１およびコンデンサユニット２０）は、本体フレーム９に設けられるケーシングによって覆われており、当該ケーシングには、進行方向前方から外気を取り込むための吸気口が設けられている。また、このケーシングには、熱を上方に向けて放出するための放熱部が設けられていることにより、車両Ｃ前方からの風（外気）を取り込み易く、コンデンサ２２（第１および第２コンデンサ２２Ａ，２２Ｂ）の吹き出しをスムーズにさせることができる。よって、放熱性に優れ、コンデンサ２２（第１および第２コンデンサ２２Ａ，２２Ｂ）における熱交換効率の向上を図ることができる。
【００６８】
さらに、膨張弁としてデジタル制御の電子膨張弁（第１および第２電子膨張弁１４Ａ，１４Ｂ）を使用することにより、冷媒の種類によって限定されるアナログ式エキスパンションバルブとは異なり、冷媒の変動に柔軟に対応可能となる分、冷凍システムにおいて冷媒を自由に入れ替えできる。
【００６９】
しかも、ホットガス配管１７を冷媒配管（高温・高圧配管１５および低圧・戻り配管１６）と並列に設置し、冷媒配管毎に２つずつ設けられた電磁弁（第１および第２電磁弁２４Ａ１，２４Ｂ１および２４Ａ２，２４Ｂ２）により冷媒配管の流れを切り替えることにより、冷凍コンテナＫ内の加温（霜取り）も可能となる。これは、冷凍時、第１および第２コンデンサ２２Ａ，２２Ｂを経由する配管（高温・高圧配管１５）を使用し、加温時、第１および第２コンデンサ２２Ａ，２２Ｂを経由することなく、第１および第２コンプレッサ２１Ａ，２１Ｂにより圧縮され高温となったガスを第１および第２エバポレータ１２Ａ，１２Ｂに直接送るホットガス配管１７を使用することにより可能となる。
【００７０】
＜変形例＞
なお、本発明は、上記の実施形態に限定されるものではなく、その趣旨を逸脱しない範囲で種々の変形が可能であり、その均等物も含まれる。
【００７１】
例えば、図１との対応部分に同一符号を付した図５に示す車両用冷凍装置１００のように、冷凍コンテナＫ内が区画壁１１によって複数（２つ）の室Ｋ１，Ｋ２に区画されていてもよい。そして、冷凍車Ｃの荷台に搭載される荷室としての冷凍コンテナＫにおける複数に区画された各室Ｋ１，Ｋ２内を、それぞれ任意の温度で冷却（すなわち、冷凍や冷蔵）する。
【００７２】
この場合、冷凍コンテナＫの複数に区画された各室Ｋ１，Ｋ２を冷却するための冷凍サイクルを構築するコンプレッサユニット２１（第１および第２コンプレッサ２１Ａ，２１Ｂ）、コンデンサユニット２０（第１および第２コンデンサ２２Ａ，２２Ｂ）、第１および第２エバポレータユニット１０Ａ，１０Ｂが、各室Ｋ１，Ｋ２に対応した系統（この場合、２系統）設けられ、これら２系統は、システム的に完全に独立しているため、各室Ｋ１，Ｋ２を管理する温度設定に応じて、それぞれの冷凍サイクルに種類の異なる冷媒を選択することができる。
【００７３】
よって、例えば、第１室Ｋ１には蒸発温度の低く冷凍能力の大きいＲ４０４Ａを選定する一方、第２室Ｋ２には蒸発温度が比較的高いＲ１３４ａを選定するなどのように、管理する温度設定に応じて、それぞれ異なる種類の冷媒を選択することにより、コンプレッサ（第１および第２コンプレッサ２１Ａ，２１Ｂ）にとって負荷の大きい、例えばＲ４０４Ａを必要な荷室のみに限定でき、車両用冷凍装置１全体の負荷の軽減に寄与することができる。また、必要に応じて冷媒を入れ替えることが可能であるので、荷室温度設定の自由度が大きくなる。
【００７４】
因みに、ここで説明した図５の車両用冷凍装置１００は、エバポレータユニット１０が区画された冷凍コンテナＫ内の第１室Ｋ１，第２室Ｋ２に対応して、第１および第２エバポレータ１２Ａ，１２Ｂの２つを備えたエバポレータ１２によって構築されている点と、この第２エバポレータユニット１２Ｂが冷凍機本体７とは別体で（つまり、本体フレーム９に組付けられることなく）単体として冷凍コンテナＫ内の第２室Ｋ２内に取り付けられている点とを除き、上述した図１および図３の車両用冷凍装置１と、ほぼ同様の構成からなることは言うまでもない。このとき、冷凍機本体７と第２エバポレータユニット１２Ｂとは、区画壁１１に穿設された孔１１Ａを介して挿通された配管１５，１６によって接続されている。
【００７５】
このように、冷凍コンテナＫ内が複数の室に区画された場合、複数の室（第１室Ｋ１，第２室Ｋ２）に応じた複数の内部ユニット部が設けられると共に、外部ユニット部には、内部ユニット部の数に応じた複数のコンデンサユニット２０および複数のコンプレッサユニット２１が設けられ、これら第１および第２室Ｋ１，Ｋ２のうち、１つの室（第１室Ｋ１）には本体フレーム９を介して外部ユニット部と、少なくとも１つの内部ユニット部とが取り付けられ、他の室（第２室Ｋ２）には他の内部ユニット部が取り付けられることにより、冷凍サイクルの構成要素（コンプレッサユニット２１・エバポレータユニット１０Ａ，１０Ｂ・コンデンサユニット２０等）毎に機能が完結しており、各室Ｋ１，Ｋ２毎に設けられる内部ユニット部の数に応じて、コンデンサユニット２０およびコンプレッサユニット２１を外部ユニット部に設けるため、冷凍コンテナＫ内が複数の室に区画された場合であっても、各要素の設計変更、仕様変更等に柔軟に対応でき、設計の自由度を広げることができるメリットを備えている。
【００７６】
また、上述した実施形態においては、外部ユニット部としての冷凍機本体７が本体フレーム９を介して冷凍コンテナＫの外壁部に取り付けられ、内部ユニット部としてのバポレータユニット１０が冷凍コンテナＫの内壁部に取り付けられる場合について述べたが、本発明はこれに限ることはない。例えば、外部ユニット部を荷室外部側に、内部ユニット部を荷室内部側に配置し、これらの境界部位に隔壁部が介在するように１つの本体フレームに一体的に組付けると共に、冷凍コンテナＫにおける進行方向前方の上方の位置に、本体フレームの荷室内部側に配置されるエバポレータユニット１０に対応する取付開口部を貫設し、隔壁部を境に荷室外部側と荷室内部側との重量バランスが略均等となるように本体フレームを介して冷凍コンテナＫに取り付けるようにしても良い。
【００７７】
このとき、本体フレームは、冷凍コンテナＫの取付開口部に対して、エバポレータユニット１０側を挿入し、隔壁部によって取付開口部を塞ぐことで、当該エバポレータユニット１０を冷凍コンテナＫ内に配置した状態で取り付けられ、本体フレームは、当該冷凍コンテナＫの外壁面に沿うように当接し、取付開口部を閉塞することが好ましい。
【００７８】
これにより、コンプレッサユニット２１およびコンデンサユニット２０を配置する荷室外部側と、エバポレータユニット１０を配置する荷室内部側と、が本体フレームにおいて隔壁部を中心に略均等な重量バランスで配置されるため、冷凍コンテナＫに取り付けられた状態において、取付開口部を介して冷凍コンテナＫの内側と外側とで重量配分を均等にすることができ、当該取付開口部への曲げモーメントを軽減することができる。よって、従来、荷室内部の天井部等に設けられていた補強部材等が不要になる利点を備えることができる。
【００７９】
また、本体フレームを冷凍コンテナＫの取付開口部に取り付けるだけで、荷室内部側に配置されたエバポレータユニット１０を冷凍コンテナＫ内に配置した状態で車両用冷凍装置を取り付けることができる。このとき、冷凍コンテナＫに本体フレームの形状に応じた取付開口部を用意するだけで、各種の車両に適用することができるので、汎用性を高めることができる。また、隔壁部が冷凍コンテナＫの取付開口部周辺に当接した状態で取り付けられるため、当該取付開口部の周囲を隔壁部によって覆うことができ、この取付開口部から冷凍コンテナＫ内の冷気が漏れるのを未然に防止でき、密閉性を確保できる。
【００８０】
なお、上述した実施形態において、車両としては貨物自動車を用いた冷凍車Ｃを用いた場合について述べたが、本発明はこれに限定されるものではなく、荷室として冷凍コンテナを搭載可能な車両であれば、例えば、軽トラックやピックアップタイプ、バン型車両を含む様々な大きさ（小型〜大型）の貨物自動車、キャンピングカー等のレジャー用車両、特殊車両等の種々の車両を広く適用することができる。
【００８１】
また、上述した実施形態においては、冷凍装置用バッテリ３として、ＤＣ１２Ｖの電源電圧に定められた鉛バッテリ等を適用する場合について述べたが、一例であってこれに限らず、この他、例えば、ＤＣ２４ＶやＤＣ４８Ｖ等の車種等に応じた様々な電源電圧に定められたものであっても良いことは言うまでもない。
【００８２】
以上、本発明の実施の形態について説明したが、本発明の実施の形態には、次のような各種の形態を含むものであることを付記しておく。
（１）車両に設けられた荷室内を冷却するための車両用冷凍装置であって、
冷媒を圧縮する電動圧縮機を有するコンプレッサユニットと、
外気と熱交換することで前記コンプレッサユニットにて圧縮された前記冷媒から熱を放出させるコンデンサユニットと、
を前記冷媒の種類に応じて、それぞれ少なくとも２つずつ有する外部ユニット部と、
前記荷室内の空気を前記冷媒と熱交換させて冷却するエバポレータユニットを、前記冷媒の種類に応じて、少なくとも２つ有する内部ユニット部と、
少なくとも前記電動圧縮機を含む装置全体の動作を制御する制御部と、を備え、
前記各コンプレッサユニット、コンデンサユニットおよびエバポレータユニットによって構築される複数の冷凍サイクルのうち、一部の冷凍サイクルと、他の冷凍サイクルとで、異なる種類の冷媒が用いられ、
前記制御部は、前記複数の冷凍サイクルの中から、前記荷室内の第一の設定温度と、前記第一の設定温度よりも低い第二の設定温度とに対応する冷凍サイクルを選択し、当該選択した冷凍サイクルの運転を制御する
ことを特徴とする車両用冷凍装置。
【００８３】
（２）前記エバポレータユニットは、
前記コンデンサユニットおよび前記コンプレッサユニットと連通し、前記冷媒が流れる流路を有する蒸発器を、前記冷媒の種類に対応して複数備えており、
それぞれ前記流路が平行に重なる方向に、前記異なる種類の冷媒に対応した各前記蒸発器を交互に配置してなる
ことを特徴とする（１）に記載の車両用冷凍装置。
【００８４】
（３）前記外部ユニット部および前記内部ユニット部が一体化して組付けられる本体フレームを更に備え、
前記本体フレームは、
前記外部ユニット部を配置する荷室外部側と、前記内部ユニット部を配置する荷室内部側とが隔壁部を介在して隣接した状態で一体化されており、
前記隔壁部を中心として、前記荷室外部側と前記荷室内部側とを略均等な重量バランスで配置している
ことを特徴とする（１）または（２）に記載の車両用冷凍装置。
【００８５】
これによれば、コンプレッサユニットおよびコンデンサユニットを配置する荷室外部側と、エバポレータユニットを配置する荷室内部側と、が本体フレームにおいて隔壁部を中心に略均等な重量バランスで配置されるため、荷室（冷凍コンテナ）に取り付けられた状態において、取付開口部を介して荷室の内側と外側とで重量配分を均等にすることができ、当該取付開口部への曲げモーメントを軽減することができる。
【００８６】
（４）前記荷室には、前記車両の進行方向前方における上方の位置に前記本体フレームの前記隔壁部に対応する取付開口部が貫設されており、
前記本体フレームは、前記荷室内部側を前記取付開口部に挿入して嵌め込まれた状態で、且つ、前記隔壁部が前記荷室の前記取付開口部周辺に当接した状態で前記荷室に取り付けられている
ことを特徴とする（３）に記載の車両用冷凍装置。
【００８７】
これによれば、本体フレームを荷室（冷凍コンテナ）の取付開口部に取り付けるだけで、荷室内部側に配置されたエバポレータユニットを荷室の内部に配置した状態で車両用冷凍装置を取り付けることができる。このとき、荷室に本体フレームの形状に応じた取付開口部を用意するだけで、各種の車両に適用することができるので、汎用性を高めることができる。また、隔壁部が荷室の取付開口部周辺に当接した状態で取り付けられるため、当該取付開口部の周囲を隔壁部によって覆うことができ、この取付開口部から荷室内の冷気が漏れるのを未然に防止でき、密閉性を確保できる。
【００８８】
（５）前記車両のエンジンにより駆動され、前記コンプレッサユニット、前記エバポレータユニットおよび前記コンデンサユニット専用に設けられた発電機と、
前記発電機により充電されるバッテリと、
前記バッテリを電源として電力を入力し、当該入力した電力を前記制御部による制御に基づき、前記電動圧縮機を駆動するための電力に変換して供給する電力変換装置と、
商用電源から電力を取り込み、交流出力から直流に変換して整流する充電器と、を更に備え、
前記バッテリは、前記発電機または前記充電器により充電される
ことを特徴とする（１）〜（４）のいずれか１つに記載の車両用冷凍装置。
【００８９】
（６）前記荷室内が複数の室に区画された場合、
複数の前記室に応じた複数の前記内部ユニット部が設けられると共に、
前記外部ユニット部には、前記内部ユニット部の数に応じた複数の前記コンデンサユニットおよび複数の前記コンプレッサユニットが設けられる
ことを特徴とする（１）〜（５）のいずれか１つに記載の車両用冷凍装置。
【００９０】
（７）前記複数の室のうち、１つの室には前記本体フレームを介して前記外部ユニット部と、少なくとも１つの前記内部ユニット部とが取り付けられ、他の室にはそれぞれ前記内部ユニット部が取り付けられる
ことを特徴とする（６）に記載の車両用冷凍装置。
【００９１】
このように、前記複数の室のうち、１つの室には前記本体フレームを介して前記外部ユニット部と、少なくとも１つの前記内部ユニット部とが取り付けられ、他の室にはそれぞれ前記内部ユニット部が取り付けられるようにすることで、各室における車両用冷凍装置の取付スペースを削減でき、荷室（冷凍コンテナ）内の空間におけるエバポレータユニットの占有面積を削減することができる。
【００９２】
（８）冷媒を圧縮する電動圧縮機を有するコンプレッサユニットと、
外気と熱交換することで前記コンプレッサユニットにて圧縮された前記冷媒から熱を放出させるコンデンサユニットと、
前記荷室内の空気を前記冷媒と熱交換させて冷却するエバポレータユニットと、を有する冷凍サイクルを、前記冷媒の種類に応じて少なくとも２つ備えると共に、
少なくとも前記電動圧縮機の動作を含む装置全体の動作を制御する制御部を備え、
車両に設けられた荷室内を冷却する車両用冷凍装置の運転制御方法であって、
前記各冷凍サイクルのうち、一部の冷凍サイクルと、他の冷凍サイクルとで、異なる種類の冷媒が用いられ、
前記制御部は、
前記荷室内の設定温度が第一の設定温度である場合、前記各冷凍サイクルの中から、前記第一の設定温度に対応した冷媒を用いる冷凍サイクルを選択し、
前記荷室内の設定温度が第一の設定温度よりも低い第二の設定温度である場合、前記荷室内の設定温度が前記第一の設定温度に到達するまで、前記各冷凍サイクルの中から、前記第一の設定温度に対応した冷媒を用いる冷凍サイクルを選択し、前記第一の設定温度に到達すると、前記選択した冷凍サイクルから前記第二の設定温度に対応した冷媒を用いる冷凍サイクルに切り替えるようにして、これら冷凍サイクルを運転させる
ことを特徴とする車両用冷凍装置の運転制御方法。
【００９３】
（９）前記制御部は、
前記荷室内の設定温度が前記第二の設定温度である場合、前記第一の設定温度に対応した冷媒を用いる冷凍サイクルと、前記第二の設定温度に対応した冷媒を用いる冷凍サイクルと、を同時に運転させ、前記荷室内の設定温度が前記第二の設定温度に到達すると、前記第一の設定温度に対応した冷媒を用いる冷凍サイクルのみを停止させる
ことを特徴とする車両用冷凍装置の運転制御方法。
【符号の説明】
【００９４】
１  車両用冷凍装置
２  ＤＣ／ＤＣコンバータ（電力変換装置）
３  冷凍装置用バッテリ（バッテリ）
４  冷凍装置用発電機（発電機）
５  車両用バッテリ
６  車両用発電機
７  冷凍機本体
８  充電器
９  本体フレーム
１０  エバポレータユニット
１０Ａ  第１エバポレータユニット
１０Ｂ  第２エバポレータユニット
１１  区画壁
１２  エバポレータ（蒸発器）
１２Ａ  第１エバポレータ（蒸発器）
１２Ｂ  第２エバポレータ（蒸発器）
１３Ａ  第１温度センサ（感温筒）
１３Ｂ  第２温度センサ（感温筒）
１４Ａ  第１電子膨張弁
１４Ｂ  第２電子膨張弁
１５  高温・高圧配管
１６  低圧・戻り配管
１７  ホットガス配管
２０  コンデンサユニット
２１  コンプレッサユニット
２１Ａ  第１コンプレッサ（圧縮機）
２１Ｂ  第２コンプレッサ（圧縮機）
２２  コンデンサ（凝縮器）
２２Ａ  第１コンデンサ（凝縮器）
２２Ｂ  第２コンデンサ（凝縮器）
２３  コンデンサファン
２４Ａ１，２４Ｂ１  第１電磁弁
２４Ａ２，２４Ｂ２  第２電磁弁
２５Ａ，２５Ｂ  チェックバルブ
４０  荷室隔壁部
Ｃ  冷凍車（車両）
Ｋ  冷凍コンテナ（荷室）
Ｋ１  第１室
Ｋ２  第２室
【図１】
2018036015.tif 000003
【図２】
2018036015.tif 000004
【図３】
2018036015.tif 000005
【図４】
2018036015.tif 000006
【図５】
2018036015.tif 000007